(57)【特許請求の範囲】
【請求項１】
円筒状の側壁体と、前記側壁体の底部を構成する底版及び前記側壁体の上面開口を覆う頂版とから成る本体と、前記頂版に形成された取水口と、前記底版に形成された凹状のピットと、前記本体へ上水道から供給される水を導入する給水管と、前記本体に貯留された水を外部へ送出する送水管と、前記本体内の水を外部へ汲み上げるための揚水管を有し、
前記送水管から前記本体内の水が送出され、これに伴って前記給水管から前記本体へ水が供給されることで本体内の水を入れ替えるものであり、
災害時等において前記本体に貯留された水を飲料水とする場合には前記揚水管にポンプを連結して前記本体内の水を外部へ汲み上げ、
前記本体に貯留された水を防火用水とする場合には前記取水口にホースを挿入し、前記凹状のピットにホースの先端部を入り込ませて水を汲み上げる貯水槽において、
前記給水管と送水管の前記本体へ挿入された部分には、前記頂版側から前記底版に向かって真っすぐに延びる真直管と、前記真直管に連通し側方へ突出し前記底版近傍に位置する下部突出管と、前記真直菅に連通し、前記下部突出管と同じ方向を向いて高さ方向の中間部に位置する中間部突出管とが設けられ、
前記下部突出管と前記中間部突出管は前記側壁体の内壁面近傍に備えられており、しかも前記給水管の下部突出管と中間部突出管と前記送水管の下部突出管と中間部突出管は互いに近接し、且つ線対称となるように配置され、
前記下部突出管は前記側壁体の内壁面に沿って水平方向に延びる延出部を有することを特徴とする貯水槽。
【請求項２】
請求項１に記載した貯水槽において、中間部突出管の開口面積は下部突出管の開口面積より小さいことを特徴とする貯水槽。
【請求項３】
請求項１または２に記載した貯水槽において、真直管の下部突出管と中間部突出管との間には補助穴が形成されていることを特徴とする貯水槽。
【請求項４】
請求項３に記載した貯水槽において、補助穴は複数個設けられ、上方に位置する補助穴の開口面積が下方に位置する補助穴の開口面積より小さいことを特徴とする貯水槽。
【請求項５】
請求項１から４のいずれかに記載した貯水槽において、下部突出管と中間部突出管の少なくとも一方は先端部にいくに従って拡径するラッパ状に形成されていることを特徴とする貯水槽。
【請求項６】
請求項１から４のいずれかに記載した貯水槽において、下部突出管と中間部突出管の少なくとも一方は先端部にいくに従って縮径するノズル状に形成されていることを特徴とする貯水槽。
【請求項７】
請求項１から６のいずれかに記載した貯水槽において、下部突出管と中間部突出管の少なくとも一方は側壁体の内壁面に沿って湾曲していることを特徴とする貯水槽。
【請求項８】
請求項１から７のいずれかに記載した貯水槽において、凹状のピットは上方へいくに従って拡径するすり鉢状に形成されていることを特徴とする貯水槽。
【請求項９】
請求項１から８のいずれかに記載した貯水槽において、本体を地中に埋設する地下埋設型であることを特徴とする貯水槽。
【発明の詳細な説明】
【技術分野】
【０００１】
本発明は貯水槽に係り、特に貯留する水を防火と飲料水の両方に使用することができる貯水槽に関するものである。
【背景技術】
【０００２】
防火用の貯水槽としては地下埋設型のものが多く採用されており、例えば、特許文献１に示されたものがある。
この貯水槽は取水口に続くマンホールが地上に出ており、このマンホールからホースを挿入して水を汲み上げる。底版のマンホールに対向する箇所に凹状のピットが設けられており、このピットにホースの先端部を入り込ませることで貯水槽内の水を完全に汲み上げることができる。
ところで、近年においては貯水槽を防火用だけでなく、災害時において上水道からの水の供給が停止した場合における飲料水の備蓄に用いることが行われている。飲料水として使用できるようにするためには、貯水槽に上水道を接続すると共に、貯水槽内を通過して外部へ水を送給する配管を備えて、平生において貯水槽内の水を入れ替える構成とすることが必要である。
【先行技術文献】
【特許文献】
【０００３】
【特許文献１】特開２０００−３５２０８４号公報
【発明の概要】
【発明が解決しようとする課題】
【０００４】
しかしながら、上記従来の貯水槽では底版に凹状のピットが設けられているので、ピット内に水が滞留するおそれがあり、飲料水として使用する場合に衛生面での問題が生じるおそれがある。
本発明は上記従来の問題点に着目して為されたものであり、貯留する水を防火と飲料水の両方に使用することができ、しかも飲料水として使用する場合に衛生面での問題が生じるおそれのない衛生的な貯水槽の提供を、その目的とする。
【課題を解決するための手段】
【０００５】
本発明は上記課題を解決するためになされたものであり、請求項１の発明は、円筒状の側壁体と、前記側壁体の底部を構成する底版及び前記側壁体の上面開口を覆う頂版とから成る本体と、前記頂版に形成された取水口と、前記底版に形成された凹状のピットと、前記本体へ上水道から供給される水を導入する給水管と、前記本体に貯留された水を外部へ送出する送水管と、前記本体内の水を外部へ汲み上げるための揚水管を有し、
前記送水管から前記本体内の水が送出され、これに伴って前記給水管から前記本体へ水が供給されることで本体内の水を入れ替えるものであり、
災害時等において前記本体に貯留された水を飲料水とする場合には前記揚水管にポンプを連結して前記本体内の水を外部へ汲み上げ、
前記本体に貯留された水を防火用水とする場合には前記取水口にホースを挿入し、前記凹状のピットにホースの先端部を入り込ませて水を汲み上げる貯水槽において、
前記給水管と送水管の前記本体へ挿入された部分には、前記頂版側から前記底版に向かって真っすぐに延びる真直管と、前記真直管に連通し側方へ突出し前記底版近傍に位置する下部突出管と、前記真直菅に連通し、前記下部突出管と同じ方向を向いて高さ方向の中間部に位置する中間部突出管とが設けられ、
前記下部突出管と前記中間部突出管は前記側壁体の内壁面近傍に備えられており、しかも前記給水管の下部突出管と中間部突出管と前記送水管の下部突出管と中間部突出管は互いに近接し、且つ線対称となるように配置され、
前記下部突出管は前記側壁体の内壁面に沿って水平方向に延びる延出部を有することを特徴とする貯水槽である。
【０００６】
請求項２の発明は、請求項１に記載した貯水槽において、中間部突出管の開口面積は下部突出管の開口面積より小さいことを特徴とする貯水槽である。
【０００７】
請求項３の発明は、請求項１または２に記載した貯水槽において、真直管の下部突出管と中間部突出管との間には補助穴が形成されていることを特徴とする貯水槽である。
【０００８】
請求項４の発明は、請求項３に記載した貯水槽において、補助穴は複数個設けられ、上方に位置する補助穴の開口面積が下方に位置する補助穴の開口面積より小さいことを特徴とする貯水槽である。
【０００９】
請求項５の発明は、請求項１から４のいずれかに記載した貯水槽において、下部突出管と中間部突出管の少なくとも一方は先端部にいくに従って拡径するラッパ状に形成されていることを特徴とする貯水槽である。
【００１０】
請求項６の発明は、請求項１から４のいずれかに記載した貯水槽において、下部突出管と中間部突出管の少なくとも一方は先端部にいくに従って縮径するノズル状に形成されていることを特徴とする貯水槽である。
【００１１】
請求項７の発明は、請求項１から６のいずれかに記載した貯水槽において、下部突出管と中間部突出管の少なくとも一方は側壁体の内壁面に沿って湾曲していることを特徴とする貯水槽である。
【００１２】
請求項８の発明は、請求項１から７のいずれかに記載した貯水槽において、凹状のピットは上方へいくに従って拡径するすり鉢状に形成されていることを特徴とする貯水槽である。
【００１３】
請求項９の発明は、請求項１から８のいずれかに記載した貯水槽において、本体を地中に埋設する地下埋設型であることを特徴とする貯水槽である。
【発明の効果】
【００１４】
本発明の貯水槽では、貯留する水を防火と飲料水の両方に使用することが可能であり、飲料水として使用する場合に衛生面での問題が生じるのを防止することができる。
【図面の簡単な説明】
【００１５】
【図１】本発明の実施の形態１に係る貯水槽の斜視図である。
【図２】図１のＡ−Ａ断面図である。
【図３】図１の貯水槽の平面図である。
【図４】図３のＣ−Ｃ断面図である。
【図５】図１のＢ−Ｂ断面図である。
【図６】図１の貯水槽に貯留された水を防火用水として取り出す方法を説明するための縦断面図である。
【図７】平生における図１の貯水槽に貯留された水の流れを説明するための縦断面図である。
【図８】平生における図１の貯水槽に貯留された水の流れを説明するための横断面図である。
【図９】本発明の実施の形態２に係る貯水槽の縦断面図である。
【図１０】図９の貯水槽に備えられる給水管（送水管）の一部拡大正面図である。
【図１１】本発明の実施の形態３に係る貯水槽に備えられる給水管（送水管）の一部拡大図であり、（Ａ）は正面図、（Ｂ）は側面図である。
【図１２】本発明の実施の形態４に係る貯水槽に備えられる給水管（送水管）の一部拡大図であり、（Ａ）は正面図、（Ｂ）は側面図である。
【図１３】本発明の実施の形態５に係る貯水槽に備えられる給水管（送水管）の一部拡大斜視図である。
【図１４】本発明の実施の形態６に係る貯水槽に備えられる給水管（送水管）の一部拡大斜視図である。
【図１５】本発明の実施の形態７に係る貯水槽の横断面図である。
【発明を実施するための形態】
【００１６】
本発明の実施の形態１に係る貯水槽１を図１から図８によって説明する。この貯水槽１は後述する本体３を地中に埋設する地下埋設型のものである。
本体３は円筒状の側壁体５、この側壁体５の底部を構成する底版７及び側壁体５の上面開口を覆う頂版９とから成る。
頂版９には取水口１１が設けられ、この取水口１１には頂版９上に備えられた筒体１３が接続され、筒体１３の上面開口が地面に露出してマンホールを構成する。筒体１３の上面開口は開閉可能な蓋１４によって閉鎖されている(図３参照)。
底版７の取水口１１に対向する部分には凹状のピット１５が設けられている。ピット１５は円形の底面１５ａから円形の上面開口１５ｂ側、すなわち上方へいくに従って拡径するすり鉢状に形成されている。
【００１７】
符号１７は給水管を示し、この給水管１７の一端部は図示しない配管を介して上水道に連結されており、他端部は頂版９を貫通して本体３へ挿入されている。
符号１９は送水管を示し、この送水管１９の一端部は上水道からの水の送給先に連なる図示しない配管に連結されており、他端部は頂版９を貫通して本体３へ挿入されている。
給水管１７と送水管１９の本体３へ挿入された部分には、頂版９から底版７に向かって真っすぐに延びる真直管１７ａ、１９ａがそれぞれ設けられている。真直管１７ａ、１９ａの下端部には、下部突出管１７ｂ、１９ｂがそれぞれ設けられている。下部突出管１７ｂ、１９ｂは真直管１７ａ、１９ａに連通し、底版７の近傍に位置している。下部突出管１７ｂ、１９ｂは底版７の上面から３０ｃｍ〜５０ｃｍの位置に備えられている。
【００１８】
また、真直管１７ａ、１９ａには中間部突出管１７ｃ、１９ｃが設けられている。中間部突出管１７ｃ、１９ｃは真直管１７ａ、１９ａに連通し、下部突出管１７ｂ、１９ｂより上方の高さ方向の中間部に位置している。中間部突出管１７ｃは突出管１７ｂと同じ方向を向き、中間部突出管１９ｃは下部突出管１９ｂと同じ方向を向いている。
【００１９】
下部突出管１７ｂ、１９ｂと中間部突出管１７ｃ、１９ｃは側壁体５の内壁面５ａの近傍に備えられている。給水管１７の下部突出管１７ｂと中間部突出管１７ｃと送水管１９の下部突出管１９ｂと中間部突出管１９ｃは互いに近接し、且つ線対称となるように配置されている。すなわち、下部突出管１７ｂの開口と下部突出管１９ｂの開口は互いに反対方向を向き、中間部突出管１７ｃの開口と中間部突出管１９ｃの開口も互いに反対方向を向いている。
下部突出管１７ｂは側壁体５の内壁面５ａに沿って水平方向に延びる延出部１７ｄを有している。また、下部突出管１９ｂは側壁体５の内壁面５ａに沿って水平方向に延びる延出部１９ｄを有している。
【００２０】
給水管１７、送水管１９には緊急遮断弁２１が取付けられ、更に複数のバルブ２３が取付けられている。
緊急遮断弁２１が設けられている箇所の周囲はケース２０によって囲まれており、このケース２０に形成された上面開口は地面Ｇから露出している。ケース２０の上面開口は開閉可能な蓋２２によって閉鎖されている（図２参照）。
【００２１】
符号２５、２７は揚水管を示し、揚水管２５、２７は頂版９を貫通して本体３へ入り込み、その下端部が底版７の近傍にまで延びている。また、揚水管２５、２７の上端部は頂版９から突出している。揚水管２５、２７の近傍には本体３内に連通する急速排気弁２９が備えられている。
揚水管２５、２７の上端部と急速排気弁２９は頂版９の上面に備えられた筒体３１に収容され、筒体３１の上面開口は地面Ｇから露出しており、この上面開口は開閉可能な蓋３３によって閉鎖されている（図２参照）。
【００２２】
符号３５、３７は採水口導入管を示し、採水口導入管３５、３７は頂版９を貫通して本体３へ入り込んで、その下端部が底版７の近傍にまで延びている。また、採水口導入管３５、３７の上端部は頂版９から突出している。採水口導入管３５、３７の近傍には本体５内に連通する急速排気弁３９が備えられている。
採水口導入管３５、３７の上端部と急速排気弁３９は頂版９の上面に備えられた筒体４１に収容されており、この筒体４１の上面開口は地面Ｇから露出しており、この上面開口は開閉可能な蓋４３によって閉鎖されている。
【００２３】
次にこの貯水槽１の使用方法を説明する。
平生においては上水道から供給される水が給水管１７を通って本体３へ導入される。水は図１、図７において矢印で示すように真直管１７ａを通り、中間部突出管１７ｃから流出し、更に下部突出管１７ｂから流出する。
また、送水管１９を通って本体３内の水が外部へ送出される。水は図１において矢印で示すように中間部突出管１９ｃ、下部突出管１９ｂから流入し、真直管１９ａを通り外部へ送出される。
【００２４】
前述のように、下部突出管１７ｂ、１９ｂと中間部突出管１７ｃ、１９ｃは側壁体５の内壁面５ａ近傍に備えられ、しかも給水管１７の下部突出管１７ｂと中間部突出管１７ｃと送水管１９の下部突出管１９ｂと中間部突出管１９ｃは互いに近接し、且つ線対称となるように配置されており、更に、下部突出管１７ｂは側壁体５の内壁面５ａに沿って水平方向に延びる延出部１７ｄを有し、下部突出管１９ｂは側壁体５の内壁面５ａに沿って水平方向に延びる延出部１９ｄを有しているので、図７、図８において矢印で示す水の流れが生じる。この水の流れは本体３内の下層から上層の全体に渡って発生することになる。
【００２５】
特に、延出部１７ｄ、１９ｄが設けられているので、水はほぼ水平方向へ勢いよく放出される。これにより、上記したような水流は本体３内の水全体を巻き込む。この結果、図７に示すようにピット１５内の水も確実に入れ替ることになる。更に、ピット１５はすり鉢状に形成されているので、ピット１５へ流れ込んだ水は内周面に沿って流れて上面開口１５ｂから流出する。従って、ピット１５内の水をより確実に入れ替えることができる。
【００２６】
災害時等において本体３内の水を飲料水として使用する方法を説明する。
蓋３３を開けて揚水管２５にホース４５の一端部を連結し、他端部に手動ポンプ４７を連結して、手動ポンプ４７を操作する。これにより、本体３内の水を揚水管２５、ホース４５を介して手動ポンプ４７から流出させる。
また、揚水管２７にホース４９の一端部を連結し、他端部を自動式ポンプ５１の吸引口に連結する。更に、自動式ポンプ５１の吐出口に臨時給水栓５３を連結する。自動式ポンプ５１を作動させ、臨時給水栓５３から給水を行う。
【００２７】
災害時等において上水道から供給される水の送水圧が低下したときには、緊急遮断弁２１が作動して、給水管１７、送水管１９と外部との連通を遮断する。
なお、採水口導入管３５、３７から本体３内の水を採取して水質検査を行う。
【００２８】
本体３に貯留された水を防火用水とする場合には蓋１４を開けて取水口１１を開放して、ホース５５を取水口１１から挿入し、ホース５５の先端部を凹状のピット１５に入り込ませる。そして、ホース５５の後端部に連結されたポンプ（図示せず）によって本体３内の水を吸引して放水する。ホース５５の先端部を凹状のピット１５に入り込ませることで、本体３内の水の殆どを吸引することができる。
また、給水管１７の下部突出管１７ｂと中間部突出管１７ｃと送水管１９の下部突出管１９ｂと中間部突出管１９ｃは線対称となるように配置されているので、給水管１７を送水管とし、送水管１９を給水管として使用することも可能である。すなわち、取水する河川の状況等によって浄水場が変更され、送水する上水道が切り替えられて送水方向が変更された場合にも対応することが可能である。
【００２９】
図９、図１０に本発明の実施の形態２に係る貯水槽６１を示す。
この貯水槽６１は実施の形態１に係る貯水槽１と次に説明する点を除き同様の構成部分を有しているので、同様の構成部分については実施の形態１で用いた符号を付してその説明を省略し、貯水槽６１については貯水槽１と異なる点についてのみ説明する。このことは実施の形態３から実施の形態７についても適用する。
給水管１７の真直管１７ａの下部突出管１７ｂと中間部突出管１７ｃとの間、送水管１９の真直管１９ａの下部突出管１９ｂと中間部突出管１９ｃとの間には補助穴６３ａ、６３ｂ、６３ｃ、６３ｄ、６３ｅが形成されている。なお、図１０は図面表示上解りやすくするために短寸法とした真直管１７ａ（１９ａ）を示している。
補助穴６３ａ、６３ｂ、６３ｃ、６３ｄ、６３ｅは上方に位置するものの開口面積が下方に位置するものより小さくなるように形成されている。
【００３０】
貯水槽６１では、下部突出管１７ｂと中間部突出管１７ｃに加えて、補助穴６３ａ、６３ｂ、６３ｃ、６３ｄ、６３ｅからも水が流出する。従って、本体３内の全体に水流が発生する。これにより、ピット１５内の水も含めて本体３内の水をより確実に入れ替えることができる。
真直管１７ａ（１９ａ）内の水は、中間部突出管１７ｃ（１９ｃ）、補助穴６３ａ、６３ｂ、６３ｃ、６３ｄ、６３ｅから流出することでその下端部へいくに従って流れが弱まるが、前記したように補助穴６３ａ、６３ｂ、６３ｃ、６３ｄ、６３ｅは上方に位置するものの開口面積が下方に位置するものより小さくなるように形成されているので、補助穴６３ａ、６３ｂ、６３ｃ、６３ｄ、６３ｅから流出する水の量、速度をほぼ均等なものとでき、本体３内の水に対し斑のない流れを発生させることが可能である。
【００３１】
図１１に本発明の実施の形態３に係る貯水槽の給水管１７、送水管１９を示す。
中間部突出管７７ｃ（７９ｃ）の開口面積が下部突出管１７ｂ（１９ｂ）の開口面積より小さくなるように設定されている。
従って、中間部突出管７７ｃ（７９ｃ）から流出する水の量、速度と下部突出管１７ｂ（１９ｂ）から流出する水の量、速度とをほぼ均等なものとでき、本体３内の水に対し斑のない流れを発生させることが可能である。
【００３２】
図１２に本発明の実施の形態４に係る貯水槽の給水管１７、送水管１９を示す。
中間部突出管８７ｃ（８９ｃ）、下部突出管８７ｂ（８９ｂ）が長寸法になるように設定されている。
従って、中間部突出管８７ｃ（８９ｃ）、下部突出管８７ｂ（８９ｂ）から流出する水が水平方向へより長い距離に渡ってガイドされ、本体３内の水に対し斑のない流れを発生させる。
【００３３】
図１３に本発明の実施の形態５に係る貯水槽の給水管１７、送水管１９を示す。
下部突出管９７ｂ（９９ｂ）、中間部突出管９７ｃ（９９ｃ）は先端部にいくに従って拡径するラッパ状に形成されている。
従って、下部突出管９７ｂ（９９ｂ）、中間部突出管９７ｃ（９９ｃ）から流出する水が拡がり、本体３内の水を撹拌し斑のない流れを発生させる。
【００３４】
図１４に本発明の実施の形態６に係る貯水槽の給水管１７、送水管１９を示す。
下部突出管１０７ｂ（１０９ｂ）、中間部突出管１０７ｃ（１０９ｃ）は先端部にいくに従って縮径するノズル状に形成されている。
従って、下部突出管１０７ｂ（１０９ｂ）、中間部突出管１０７ｃ（１０９ｃ）から流出する水の流速が増し、本体３内の水に対し斑のない流れを発生させる。
【００３５】
図１５に本発明の実施の形態７に係る貯水槽１１１を示す。
給水管１７の下部突出管１１７ｂ、送水管１９の下部突出管１１９ｂは側壁体５の内壁面５ａに沿って湾曲している。
従って、下部突出管１１７ｂ、１１９ｂから流出する水は内壁面５ａに沿ってスムーズに流れ、本体３内の水に対し斑のない流れを発生させる。
【００３６】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では地下埋設型の貯水槽を示したが、本発明はこれに限定されず、地上に設置するタイプの貯水槽に適用することができるのは勿論である。
実施の形態７において、下部突出管１１７ｂ、１１９ｂだけを湾曲する構成に限らず、中間部突出管も湾曲させる構成としてもよく、また中間部突出管だけを湾曲させる構成とすることも可能である。
ピットはすり鉢状に限らず、円柱状等他の形状であってもよい。
【産業上の利用可能性】
【００３７】
本発明の貯水槽は貯水槽建設業において利用可能性を有し、貯留する水を防火と飲料水の両方に使用することが可能で、しかも飲料水として使用する場合には常に衛生的な水を提供することができる。
【符号の説明】
【００３８】
１…貯水槽      ３…本体      ５…側壁体        ５ａ…側壁体の内壁面
７…底版        ９…頂版    １１…取水口      １３…筒体
１４…蓋        １５…凹状のピット
１５ａ…ピットの底面                １５ｂ…ピットの上面開口
１７…給水管                        １９…送水管
１７ａ、１９ａ…真直管              １７ｂ、１９ｂ…下部突出管
１７ｃ、１９ｃ…中間部突出管        １９ｄ…延出部
２０…ケース              ２１…緊急遮断弁    ２２…蓋      ２３…バルブ
２５、２７…揚水管        ２９…急速排気弁    ３１…筒体    ３３…蓋
３５、３７…採水口導入管  ３９…急速排気弁    ４１…筒体    ４３…蓋
４５…ホース              ４７…手動式ポンプ          ４９…ホース
５１…自動式ポンプ        ５３…臨時給水栓            ６１…貯水槽
６３ａ、６３ｂ、６３ｃ、６３ｄ、６３ｅ…補助穴
７７ｃ、７９ｃ…中間部突出管
８７ｂ、８９ｂ…下部突出管          ８７ｃ、８９ｃ…中間部突出管
９７ｂ、９９ｂ…下部突出管          ９７ｃ、９９ｃ…中間部突出管
１０７ｂ、１０９ｂ…下部突出管    １０７ｃ、１０９ｃ…中間部突出管
１１７ｂ、１１９ｂ…下部突出管
Ｇ…地面
【図１】
0006470138.tif 000002
【図２】
0006470138.tif 000003
【図３】
0006470138.tif 000004
【図４】
0006470138.tif 000005
【図５】
0006470138.tif 000006
【図６】
0006470138.tif 000007
【図７】
0006470138.tif 000008
【図８】
0006470138.tif 000009
【図９】
0006470138.tif 000010
【図１０】
0006470138.tif 000011
【図１１】
0006470138.tif 000012
【図１２】
0006470138.tif 000013
【図１３】
0006470138.tif 000014
【図１４】
0006470138.tif 000015
【図１５】
0006470138.tif 000016